(57)【要約】【課題】排水を浄化するための新しいシステムを提供するものであり、特に言えば、業務用などとして大量に排出される排水は勿論であるが、家庭排水のような比較的少量の排水を微生物を用いて有機物を分解処理し、排水するシステムを提供する。【解決手段】水廻り器具と、排水立て管と、この両者を結ぶ排水管と、を備えた排水システムであり、このシステム中に排水を一時的に溜める貯留槽２を備え、当該貯留槽２を排水の上流より下流に向けて有機物分解槽２ａ、沈殿槽２ｂ、排水槽２ｃの複数の水槽に区画し、有機物分解槽２ａに有機物分解微生物を投入して排水中の有機物を分解し、次いで、沈殿槽２ｂにて分解物を沈殿して水と分離し、排水槽２ｃに接続された排水管３より排水される排水システム。【選択図】図１
2008161827.tif 000002
【特許請求の範囲】
【請求項１】
水廻り器具と、排水立て管と、この両者を結ぶ排水管と、を備えた排水システムであり、このシステム中に排水を一時的に溜める貯留槽を備え、当該貯留槽に有機物分解微生物を投入して排水中の有機物を分解する機能を付加したことを特徴とする微生物による有機物分解・排水システム。
【請求項２】
当該貯留槽を排水の上流より下流に向けて有機物分解槽、沈殿槽、排水槽の複数の水槽に区画し、有機物分解槽に有機物分解微生物を投入して排水中の有機物を分解し、次いで、沈殿槽にて分解物を沈殿して水と分離し、排水槽に接続された排水管より排水される請求項１記載の微生物による有機物分解・排水システム。
【請求項３】
排水システムが、排水管の先端を垂下させて排水立て管に合流させたサイフォン排水システムである請求項１又は２記載の微生物による有機物分解・排水システム。
【請求項４】
有機物分解槽に曝気手段を備えた請求項１乃至３いずれか１記載の微生物による有機物分解・排水システム。
【請求項５】
沈殿槽の沈殿物を有機物分解槽に送る返送手段を備えた請求項１乃至４いずれか１記載の微生物による有機物分解・排水システム。
【発明の詳細な説明】
【技術分野】
【０００１】
本発明は、主として家庭の厨房等から出る排水を処理する排水システムに関するものであり、排水システム中に備えられる一時貯留槽に、排水中に含まれる有機物を生分解する機能を付加した有機物分解・排水システムに関するものである。
【背景技術】
【０００２】
現在、家庭排水は直接排水されており、処理設備が不十分な地方においては浄化槽等の設備導入による経済的負担、及び環境への影響が問題となっている。又、都市部も含めて排水中に含まれる有機物により、経時的に各住戸の管路や集合住宅において排水配管の閉鎖及び詰まり等の問題が発生することがあり、定期的な管路清掃が必要となっている。
【０００３】
大量に排水される業務用排水を十分に浄化できる厨房の排水処置装置に関する技術は例えば特許文献１に提案されている。かかる技術は、厨房から排出された排水を浄化する比較的大型の濾過槽と、この濾過槽に有機物分解微生物を混入した溶液を供給するユニットを備えるものであり、このユニットより濾過槽に有機物分解微生物を含む溶液と曝気用の空気を送ることにより、排水に含まれる油分やタンパク質分等の有機物を分解し、排水を浄化する厨房の排水処置装置である。
【０００４】
しかるに、特許文献１によれば、飲食店やホテル等の業務用厨房から大量に排出される排水の浄化処理に有利であるが、家庭排水用には採用されるようなコンパクトなシステムではなく、比較的狭いスペ−ス内（フロア下）に収容される排水システムには有利なシステムではない。
【０００５】
【特許文献１】特開２００２−１１９９８３号公報
【発明の開示】
【発明が解決しようとする課題】
【０００６】
本発明は、排水を浄化するための新しいシステムを提供するものであり、特に言えば、業務用などとして大量に排出される排水は勿論であるが、家庭排水のような比較的少量の排水を微生物を用いて有機物を分解処理し、排水するシステムを提供することを目的とする。
【課題を解決するための手段】
【０００７】
本発明は上記の目的を達成するためになされたものであり、水廻り器具と、排水立て管と、この両者を結ぶ排水管と、を備えた排水システムであり、このシステム中に排水を一時的に溜める貯留槽を備え、当該貯留槽に有機物分解微生物を投入して排水中の有機物を分解する機能を付加した微生物による有機物分解・排水システムである。
【０００８】
好ましくは、当該貯留槽を排水の上流より下流に向けて有機物分解槽、沈殿槽、排水槽の複数の水槽に区画し、有機物分解槽に有機物分解微生物を投入して排水中の有機物を分解し、次いで、沈殿槽にて分解物を沈殿して水と分離し、排水槽に接続された排水管より排水される有機物分解・排水システムである。
【０００９】
更に言えば、排水管の先端を垂下させて排水立て管に合流させたサイフォン排水システムに適用されるものである。そして、発明の構成として、有機物分解槽に曝気手段を備え、更には、沈殿槽の沈殿物を有機物分解槽に送る返送手段を備えることが好ましいものである。
【発明の効果】
【００１０】
本発明の好適例（請求項２）にあっては、一時的に排水を溜める貯留槽を区画し、排水の上流より下流に向けて有機物分解槽、沈殿槽、排水槽に区画し、有機物分解槽に有機物分解微生物と好ましくは曝気用の空気を送ることにより、排水に含まれる油分やタンパク質分などの有機物を効果的に分解し、排水を十分に浄化することができたものであり、一般家庭用の有機物分解・排水システムにも採用できるシステムである。
【発明を実施するための最良の形態】
【００１１】
本発明は排水システムの一時貯留槽に有機物分解機能を付加したものであり、以下、本発明の好適例（請求項２）をサイフォン排水システムを例にとって更に説明すると、水廻り器具に接続されるサイフォン排水管は比較的径が細いものが用いられ、通常は２０Ａ程度の管である。このため、溜め流しに対しては一時的に排水をためる貯留槽を備えることが行われている。本発明の好適例では、この貯留槽を改良してこれを複数に区画し、一時貯留槽中に有機物分解機能を付加したもので、小口径のサイフォン排水管への固形物の流入を防止することができ、メンテナンスの上でも優れたものとなる。
【００１２】
かかる貯留槽はフロア下に収納される必要から、背丈が比較的低い扁平の構造をもっており、排水はその一側から流れ込むが、これに対して上部を開けた仕切り板にて複数の部屋に区画するものである。そして、最上流の区画部屋を有機物分解槽とし、ここに有機物を分解する微生物を投入することになる。従って、主としてこの槽にて有機物が分解されることとなる。
【００１３】
排水を処理するには、大きく分けて２つの方法があり、第１は活性汚泥法であり、第２は接触曝気法である。前者は細菌、かび類、藻類、原生動物、輪虫類、線虫類の集合体である活性汚泥に汚染物質を吸着させ、微生物の栄養源となって除去するもので、微生物集団である汚泥は浮遊状態で、排水と接しながら処理するのが一般的である。一方、後者は接触材にこの微生物集団を付着させながら排水を処理する方法である。後者の場合にはその管理がしやすいため、本発明では後者が好んで採用される。
【００１４】
適用できる微生物としては、アメ−バ、アルケラ、ペラネマ、アンフィレプトウス、ユ−プロテス、ステンタ−、パラメシウム、カルケシウム、エピステリス、ボルテイケラ、オペルクラリア、ポドフィリア、トコフィリア、フィロデイナ、スピロギイラ等が挙げられる。
【００１５】
次位の区画部屋は有機物分解槽から出る排水を受ける部屋（沈殿槽）であり、排水は仕切り板の上部を通って流れ込んでくる。勿論、未分解又は分解の半ばの有機物も流れ込むこととなるため、これらをこの槽で沈殿させ、上澄みの排水のみを次の槽に送ることとなる。又、この沈殿槽に沈殿した沈殿物は再度分解処理に供するのが好ましく、有機物分解槽へ循環する手段を備えるのがよい。
【００１６】
次位の排水槽にはサイフォン排水管が接続されており、通常は間欠的にサイフォン起動が発生して強制排水されることとなる。
【実施例】
【００１７】
図１は本発明の好適例（請求項２）の実施例を示す図である。図中、１は水廻り器具から導かれる排水導管、２は一時貯留槽、３はサイフォン排水管である。排水導管１は通常は５０〜７５Ａの管であり、図示しない水廻り器具（浴室、洗面器、洗濯機等）に接続されて一時貯留槽２の最上流部（２ａ）へ排水を導くものである。又、サイフォン排水管３は一時貯留槽２の最後尾（２ｃ）に接続され、図示しないサイフォン排水管３の先端を垂下させてサイフォン力をもたらすものである。
【００１８】
上記の一時貯留槽２は、請求項２によって上流側より仕切り板４ａ、４ｂにて三つに区画されており、最上流区画部屋が有機物分解槽２ａ、第２位の区画部屋が沈殿槽２ｂ、最下流区画部屋が排水槽２ｃであり、分解された排水（器具排水から直接オ−バ−フォロ−した液体分含む）が仕切り４ａを越え、沈殿槽２ｂによって処理された上澄み（処理水）が仕切り４ｂを越え、最後にサイフォン排水により排水される工程を取る。
【００１９】
有機物分解槽２ａには水廻り器具からの排水が排水導管１を介して断続的に或いは連続して流れ込むものであり、従って、排水によって有機物等がそのまま流れ込む。本発明は微生物による有機物分解処理機能を付加した一時貯留槽を提供するものであり、排水中に含まれる有機物を有機物分解槽補集し、補集した有機物を微生物により分解する。即ち、かかる有機物補集槽２ａに有機物を分解する微生物を投入するものであり、これによって流入してきた有機物を分解し、サイフォン排水管には有機物（固形物等）が入り込まないようにしたものである。好ましくは、接触曝気手段が採用され、更に空気を送り込む曝気装置５を備えるのがよい。これによって、排水に含まれる油分やタンパク質分等の有機物を効果的に分解し、排水を十分に浄化することができることとなった。
【００２０】
沈殿槽２ｂは仕切り板４ａと仕切り板４ｂとによって区画された部屋であり、有機物分解槽２ａより流れてきた排水中の有機物（固形物）を沈殿させる部屋であって、その上澄み液は仕切り板４ｂの頂部を越えて排水槽２ｃへ流れ込む。この沈殿槽２ｂに沈殿したものはそのまま次の排水槽２ｃに流してしまうのではなく、好ましくは、沈殿物を再度前段の有機物分解槽２ａに送る返送手段を備えておき、これによって再度微生物による分解に供されるのが好ましい。この返送手段にあっては、特別なポンプを備えることができることは言うまでもないが、仕切り板４ｂの底部に例えばスリット、穴等６を形成しておき、これによって、有機物分解槽２ａに逆送することも可能である。
【００２１】
排水槽２ｃは仕切り板４ｂの頂部を乗り越えて流入した水が一時的に溜る槽であって、この底部にサイフォン排水管３が接続されており、サイフォンが起動した際にはこの排水槽２ｃ内に溜められた排水は基本的に全てサイフォン力によって排水されることとなる。サイフォン排水管３内を流れる水は、槽２ａ、２ｂによって有機物が取り除かれ、これが分解されてしまっていることから、サイフォン排水管３の詰まり現象や汚れが著しく低減されるものであり、メンテナンスフリ−にも繋がることとなる。
【００２２】
尚、沈殿槽２ｂ及び排水槽２ｃには汚泥及び排水がスム−ズに流れるように底面に勾配を付けることも可能である。
【産業上の利用可能性】
【００２３】
本発明は、サイフォン排水システムのみならず、全ての排水システムにおけるに水廻り器具から出る排水中に含まれる有機物を分解する機能を付加することにより、浄化した処理水を排水本管へ排水することができたものであり、各配管の詰まり低減等の各建物におけるメリットだけでなく、排水処理設備への負荷低減・環境配慮を図ることができることとなったものであり、その工業的価値は大きい。
【図面の簡単な説明】
【００２４】
【図１】図１は本発明の有機物分解・排水システムの一例を示す図である。
【符号の説明】
【００２５】
１‥排水導管、
２‥一時貯留槽、
３‥サイフォン排水管、
２ａ‥一時貯留槽の有機物分解槽、
２ｂ‥一時貯留槽の沈殿槽、
２ｃ‥一時貯留槽の排水槽、
４ａ、４ｂ‥仕切り板、
５‥曝気装置、
６‥スリット。
【図１】
2008161827.tif 000003